(57)【要約】【課題】 複数の異なる種類のタイムスタンプ要求に応じて、タイムスタンプを発行するタイムスタンプサーバ装置、およびタイムスタンプ発行方法、タイムスタンプ発行プログラムを提供する。【解決手段】 タイムスタンプサーバ装置の受信装置は、クライアント装置から時刻認証の対象となる電子文書のメッセージダイジェストと、ポリシーIDとを受け取る。そして、制御装置は、あらかじめ記録された発行条件ファイルから受信したポリシーIDと同じポリシーIDのレコードを参照し、TAから時刻、CA証明書、CRL証明書を取得する。その後、制御装置は、TAから取得した時刻と、メッセージダイジェストとからTSTを生成する。さらに、そのTSTとCA証明書、およびTSA証明書とを、ポリシーIDに対応する秘密鍵で暗号化し、その暗号化後のデータをクライアント装置に送信する。【選択図】図５
2007181093.tif 000002
【特許請求の範囲】
【請求項１】
クライアント装置に通信ネットワークで互いに接続されたタイムスタンプサーバ装置であって、
前記クライアント装置から、時刻認証の対象となる電子文書又はそのメッセージダイジェスト等の対象文書と、時刻認証要求の種類を示す指標であるポリシー識別符号とを受け取り、該対象文書と、該ポリシー識別符号とを関連づけて記憶する受信手段と、
タイムスタンプの発行条件と、該タイムスタンプの発行に用いる秘密鍵とを、前記ポリシー識別符号に関連づけて複数記憶する発行条件記憶手段と、
前記受信手段で、前記対象文書と、前記ポリシー識別符号とを受け取ったときに、時刻配信局（Time  Authority）にて監査された時刻を取得する時刻取得手段と、
前記ポリシー識別符号に対応する一の前記発行条件を選択して、前記時刻取得手段で取得した時刻を、前記対象文書に付したタイムスタンプトークン（Time  Stamp  Token）を作成するTST作成手段と、
前記ポリシー識別符号に対応する一の前記秘密鍵を、前記発行条件記憶手段から選択してタイムスタンプトークンを暗号化するTST暗号化手段と、
前記TST暗号化手段で暗号化したタイムスタンプトークンを前記クライアント装置に送信するTST送信手段と、
を備えることを特徴とするタイムスタンプサーバ装置。
【請求項２】
前記TST作成手段は、前記ポリシー識別符号に対応する前記発行条件にもとづいて、前記時刻配信局（Time  Authority）が配信する時刻に関連する証明書を取得する証明書取得手段と、
をさらに備えることを特徴とする請求項１に記載のタイムスタンプサーバ装置。
【請求項３】
前記受信手段は、受信した前記ポリシー識別符号が前記発行条件記憶手段に記憶されていないときに、前記クライアント装置にエラーメッセージを返すこと、
を特徴とする請求項１または２に記載のタイムスタンプサーバ装置。
【請求項４】
クライアント装置から、時刻認証の対象となる電子文書又はそのメッセージダイジェスト等の対象文書と、時刻認証要求の種類を示す指標であるポリシー識別符号とを受け取り、該対象文書と該ポリシー識別符号とを関連づけて記憶する受信処理と、
タイムスタンプの発行条件と、該タイムスタンプの発行に用いる秘密鍵とを、前記ポリシー識別符号に関連づけて複数記憶する発行条件記憶処理と、
前記受信手段で前記対象文書と前記ポリシー識別符号とを受け取ったときに、時刻配信局（Time  Authority）にて監査された時刻を取得する時刻取得処理と、
前記ポリシー識別符号に対応する一の前記発行条件を選択して、前記時刻取得手段で取得した時刻を前記対象文書に付したタイムスタンプトークン（Time  Stamp  Token）を作成するTST作成処理と、
前記ポリシー識別符号に対応する一の前記秘密鍵を、前記発行条件記憶手段から選択してタイムスタンプトークン（Time  Stamp  Token）を暗号化するTST暗号化処理と、
前記TST暗号化手段で暗号化したタイムスタンプトークン（Time  Stamp  Token）を前記クライアント装置に送信するTST送信処理と、
を含むことを特徴とするタイムスタンプ発行方法。
【請求項５】
前記TST作成処理は、前記ポリシー識別符号に対応する前記発行条件にもとづいて、前記時刻配信局（Time  Authority）が配信する時刻に関連する証明書を取得する証明書取得処理と、
をさらに備えることを特徴とする請求項４に記載のタイムスタンプ発行方法。
【請求項６】
前記受信処理は、受信した前記ポリシー識別符号が前記発行条件記憶手段に記憶されていないときは、前記クライアント装置にエラーメッセージを返すこと、
を特徴とする請求項４または５に記載のタイムスタンプ発行方法。
【請求項７】
クライアント装置から、時刻認証の対象となる電子文書又はそのメッセージダイジェスト等の対象文書と、時刻認証要求の種類を示す指標であるポリシー識別符号とを受け取り、該対象文書と該ポリシー識別符号とを関連づけて記憶し、さらにタイムスタンプの発行条件と、該タイムスタンプの発行に用いる秘密鍵とを、該ポリシー識別符号に関連づけて複数記憶する処理と、
前記対象文書と前記ポリシー識別符号とを受け取ったときに、時刻配信局（Time  Authority）にて監査された時刻を取得する処理と、
前記ポリシー識別符号に対応する一の前記発行条件を選択し、取得した時刻を前記対象文書に付したタイムスタンプトークン（Time  Stamp  Token）を作成する処理と、
前記ポリシー識別符号に対応する一の前記秘密鍵を、前記発行条件記憶手段から選択してタイムスタンプトークン（Time  Stamp  Token）を暗号化し、該タイムスタンプトークン（Time  Stamp  Token）を前記クライアント装置に送信する処理と、
を実行させるタイムスタンプ発行プログラム。
【発明の詳細な説明】
【技術分野】
【０００１】
本発明は、電子文書が改ざんされていないこと認証するためのタイムスタンプ発行技術に関し、特に、１台の装置で複数種類のタイムスタンプを発行する技術に関する。
【背景技術】
【０００２】
タイムスタンプ技術は、電子データがある時間に存在し、それ以降改ざんされていないことを暗号学的に証明する技術である。具体的には、時刻認証局（Time Stamp Authority：TSA）のタイムスタンプサーバ装置が、時刻配信局（Time Authority：TA）から協定世界時（Coordinated Universal Time：UTC）と同期した信頼ある時刻を受け取る。次に、この時刻とメッセージダイジェスト（Message Digest：MD）を結合したタイムスタンプトークン（Time Stamp Token：TST）を作成しタイムスタンプを発行する。このとき、より安全を期すために、TSTをTSAの秘密鍵を用いて暗号化してクライアント装置に送る。そして、このような手順により発行されたタイムスタンプは、電子文書や、タイムスタンプ自体の非改ざん性を証明する（例えば、特許文献１）。
【特許文献１】特開２００３−２４２２７８号公報
【発明の開示】
【発明が解決しようとする課題】
【０００３】
こうしたタイムスタンプには、電子文書の種類によって使用する秘密鍵が異なる場合や、タイムスタンプだけでなく、そのタイムスタンプの時刻自体が、信頼される時刻配信局（TA）から配信される時刻によるものか否かの証明書を添付することが必要となる場合がある。従来、タイムスタンプサービス事業者（以下、事業者とする）は、このような事情に対応する場合には、安全性確保のため、使用する秘密鍵の種類や、証明書の要否に応じて、複数のタイムスタンプサーバ装置を設ける場合が多かった。しかし、複数のタイムスタンプサーバ装置を維持し、または運用することは、事業者にとって、人的にも金銭的にも負担が大きかった。
【０００４】
本発明は、上記実状に鑑みてなされたものであり、１台の装置で複数の種類のタイムスタンプを発行できるタイムスタンプサーバ装置、タイムスタンプ発行方法、およびタイムスタンプ発行プログラムを提供することを目的とする。
【課題を解決するための手段】
【０００５】
上記目的を達成するため、本発明の第１の観点に係るタイムスタンプサーバ装置は、
クライアント装置に通信ネットワークで互いに接続されたタイムスタンプサーバ装置であって、
前記クライアント装置から、時刻認証の対象となる電子文書又はそのメッセージダイジェスト等の対象文書と、時刻認証要求の種類を示す指標であるポリシー識別符号とを受け取り、該対象文書と、該ポリシー識別符号とを関連づけて記憶する受信手段と、
タイムスタンプの発行条件と、該タイムスタンプの発行に用いる秘密鍵とを、前記ポリシー識別符号に関連づけて複数記憶する発行条件記憶手段と、
前記受信手段で、前記対象文書と、前記ポリシー識別符号とを受け取ったときに、時刻配信局（TA）にて監査された時刻を取得する時刻取得手段と、
前記ポリシー識別符号に対応する一の前記発行条件を選択して、前記時刻取得手段で取得した時刻を、前記対象文書に付したタイムスタンプトークン（TST）を作成するTST作成手段と、
前記ポリシー識別符号に対応する一の前記秘密鍵を、前記発行条件記憶手段から選択してTSTを暗号化するTST暗号化手段と、
前記TST暗号化手段で暗号化したTSTを前記クライアント装置に送信するTST送信手段と、
を備えることを特徴とする。
【０００６】
また、前記TST作成手段は、前記ポリシー識別符号に対応する前記発行条件にもとづいて、TAが配信する時刻に関連する証明書を取得する証明書取得手段と、
をさらに備えることを特徴としてもよい。
【０００７】
また、前記受信手段は、受信した前記ポリシー識別符号が前記発行条件記憶手段に記憶されていないときは、前記クライアント装置にエラーメッセージを返すことを特徴としてもよい。
【０００８】
上記目的を達成するため、本発明の第２の観点に係るタイムスタンプ発行方法は、
クライアント装置から、時刻認証の対象となる電子文書又はそのメッセージダイジェスト等の対象文書と、時刻認証要求の種類を示す指標であるポリシー識別符号とを受け取り、該対象文書と該ポリシー識別符号とを関連づけて記憶する受信処理と、
タイムスタンプの発行条件と、該タイムスタンプの発行に用いる秘密鍵とを、前記ポリシー識別符号に関連づけて複数記憶する発行条件記憶処理と、
前記受信手段で前記対象文書と前記ポリシー識別符号とを受け取ったときに、時刻配信局（TA）にて監査された取得する時刻取得処理と、
前記ポリシー識別符号に対応する一の前記発行条件を選択して、前記時刻取得手段で取得した時刻を前記対象文書に付したタイムスタンプトークン（TST）を作成するTST作成処理と、
前記ポリシー識別符号に対応する一の前記秘密鍵を、前記発行条件記憶手段から選択してTSTを暗号化するTST暗号化処理と、
前記TST暗号化手段で暗号化したTSTを前記クライアント装置に送信するTST送信処理と、
を含むことを特徴とする。
【０００９】
また、前記TST作成処理は、前記ポリシー識別符号に対応する前記発行条件にもとづいて、TAが配信する時刻に関連する証明書を取得する証明書取得処理と、
をさらに備えることを特徴としてもよい。
【００１０】
また、前記受信処理は、受信した前記ポリシー識別符号が前記発行条件記憶手段に記憶されていないときは、前記クライアント装置にエラーメッセージを返すことを特徴としてもよい。
【００１１】
上記目的を達成するため、本発明の第３の観点に係るタイムスタンプ発行プログラムは、
コンピュータに、
クライアント装置から、時刻認証の対象となる電子文書又はそのメッセージダイジェスト等の対象文書と、時刻認証要求の種類を示す指標であるポリシー識別符号とを受け取り、該対象文書と該ポリシー識別符号とを関連づけて記憶し、さらにタイムスタンプの発行条件と、該タイムスタンプの発行に用いる秘密鍵とを、該ポリシー識別符号に関連づけて複数記憶する処理と、
前記対象文書と前記ポリシー識別符号とを受け取ったときに、時刻配信局（TA）にて監査された時刻を取得する処理と、
前記ポリシー識別符号に対応する一の前記発行条件を選択し、取得した時刻を前記対象文書に付したタイムスタンプトークン（TST）を作成する処理と、
前記ポリシー識別符号に対応する一の前記秘密鍵を、前記発行条件記憶手段から選択してTSTを暗号化し、該TSTを前記クライアント装置に送信する処理を実行させることを特徴とする。
【発明の効果】
【００１２】
本発明によれば、タイムスタンプタイムの種類に応じてタイムスタンプサーバ装置を管理する必要がなくなるので、事業者の運用負担が軽減される。
【発明を実施するための最良の形態】
【００１３】
以下、この発明の実施の形態に係るタイムスタンプサーバ装置について説明する。
【００１４】
本発明の実施の形態に係るタイムスタンプサーバ装置は、時刻認証局（Time Stamp Authority：TSA）に設置される装置であり、図１に示すように、タイムスタンプサーバ装置１は、通信ネットワークNを介して、クライアント装置２と、時刻監査サーバ装置３とに接続される。
【００１５】
まず、本実施形態に係るタイムスタンプサーバ装置１の処理の概要を説明する。
【００１６】
タイムスタンプサーバ装置１は、クライアント装置２から、時刻認証の対象となる電子文書又はそのメッセージダイジェスト等の対象文書、時刻認証要求の種類を示すポリシー識別符号（以下、ポリシーIDとする）を受けると、その対象文書のタイムスタンプを発行するために、時刻監査サーバ装置３から信頼できる時刻を取得する。
そして、タイムスタンプに関する証明書が必要か否かを、あらかじめ事業者によって登録された条件を参照して判断し、必要な場合には時刻と共に証明書を取得する。その後、取得した時刻と、対象文書とからタイムスタンプトークン（以下、TSTとする）を生成すると共にTSA証明書を生成する。さらに、TSTと、TSA証明書と、CA証明書を暗号化して、タイムスタンプ要求のあったクライアント装置に送信する。以下、詳細に説明する。
【００１７】
通信ネットワークNは、例えば、TCP/IP（Transmission Control Protocol/Internet Protocol）などの通信プログラムに基づいてデータ伝送を行うネットワークである。通信ネットワークNは、タイムスタンプサーバ装置１と、クライアント装置２、時刻監査サーバ装置３とを相互接続し、これらの間のデータ通信を媒介する。
【００１８】
クライアント装置２は、ネットワーク通信機能を有するパーソナルコンピュータ等の情報処理装置から構成される。このクライアント装置２は、公官庁や一般企業等、広く証書類を作成する者（以下、利用者とする）により使用される装置である。
【００１９】
時刻監査サーバ装置３は、協定世界時（UTC）と同期した信頼のおける時刻を提供する時刻配信局（Time Authority：TA）に設置されるサーバ装置である。そして、UTCと同期した時刻、および時刻配信局が認証局（Certification Authority：CA）から認証を受けていることの証明書（以下、CA証明書とする）や、証明書の失効リスト（Certificate Revocation List：CRL）等を時刻認証局（Time Stamp Authority：TSA）に提供する。時刻監査サーバ装置３は、タイムスタンプサーバ装置１からの要求に応じて、これらの情報を提供する。すなわち、タイムスタンプサーバ装置１は、時刻監査サーバ装置３に自己の時刻監査の要求を行う。これに対して時刻監査サーバ装置３は、タイムスタンプサーバ装置１から送信された時刻と時刻監査サーバ装置３の時刻とを比較し、タイムスタンプサーバ装置１の時刻が所定の範囲内で時刻監査サーバ装置３と同期していることを示す時刻監査証を作成し、時刻とともにタイムスタンプサーバ装置１に送信する。時刻監査証には、タイムスタンプサーバ装置１と時刻監査サーバ装置３との時刻の差分、その有効期間、CA証明書、CRLが含まれる。タイムスタンプサーバ装置１は、自己の時刻に基づき、タイムスタンプ発行の際に時刻監査証の有効性を確認し、つまり、その有効期間にあれば、時刻監査サーバ装置３から時刻を取得せずにタイムスタンプサーバ装置１の時刻でタイムスタンプを発行する。また、ポリシーIDによって時刻監査の精度を選択するようにしても良い。この場合、ポリシーIDに応じて上記同期とみなす所定の範囲を設定することとし、タイムスタンプサーバ装置１は、クライアントから受け取ったポリシーIDがそのときの時刻監査証より高い精度を要求するものであれば、時刻監査サーバ装置３にポリシーIDにあった時刻監査証を要求し、時刻監査証とともに新たに得られた時刻によってタイムスタンプを発行する。
【００２０】
タイムスタンプサーバ装置１は、物理的には図２に示すように、通信装置１０と、制御装置１１と、記憶装置１２と、入力装置１３と、表示装置１４と、から構成される。
【００２１】
通信装置１０は、例えば、NIC（Network Interface Card）やルータ、モデム、などの通信装置から構成される。通信装置１０は、タイムスタンプサーバ装置１と通信ネットワークNとを接続し、通信ネットワークNを介してクライアント装置２との間で対象文書やTSTを送受信し、または時刻監査サーバ装置３との間で時刻や証明書のデータを送受信する。
【００２２】
制御装置１１は、例えば、CPU（Central Processing Unit：中央演算処理装置）やワークエリアとなるRAM（Random Access Memory）などから構成され、後述する各種制御動作を実行する。
【００２３】
記憶装置１２は、ハードディスク装置などの外部記憶装置から構成され、制御装置１１の処理プログラムや、タイムスタンプの発行条件を記録したファイル（以下、発行条件ファイルとする）、クライアント装置２から受信した対象文書等、各種のデータを記憶する。
【００２４】
入力装置１３は、文字入力等するためのキーボード装置等である。タイムスタンプ事業者が入力した情報を、制御装置１１に伝達する。タイムスタンプ事業者が、タイムスタンプの発行条件等を入力するために用いられる。
【００２５】
表示装置１４は、入力装置１３により入力された文字等を表示するためのディスプレイ装置等である。タイムスタンプ事業者が、入力したタイムスタンプの発行条件等を確認するために用いられる。
【００２６】
図２に示す構成のタイムスタンプサーバ装置１は、機能的には、図３に示す構成を有する。すなわち、タイムスタンプサーバ装置１は、受信部１００および送信部１０１と、発行条件選択部１１１と、TA要求部１１２と、TST生成部１１３と、を備える。
【００２７】
受信部１００と送信部１０１とは、通信装置１０から構成される。受信部１００は、通信ネットワークNを介して、クライアント装置２から対象文書および、ポリシーIDとを受信する。一方、送信部１０１は、制御装置１１から供給されるTST、証明書、またはエラーメッセージ等を、通信ネットワークNを介してクライアント装置２に送信する。
【００２８】
発行条件選択部１１１は、受信部１００で受信したポリシーID、および対象文書を記憶し、そのポリシーIDが、発行条件ファイルに登録されているか否かを判断する。具体的に、発行条件ファイルは図４に示すように、ポリシーID毎に、TSTを生成するときに使用する秘密鍵、認証局（Certification Authority：CA）から発行された時刻配信局及び時刻認証局のCA証明書、証明書失効リスト（Certificate Revocation List：CRL）、タイムスタンプにCA証明書とCRLを添付するか否かのフラグ、タイムスタンプの発行対象となるハッシュアルゴリズム、そのポリシーIDをアクティブにするか否かのフラグ、どのポリシーIDをデフォルトとして使用するかを示すフラグが記録されている。そして、受信したポリシーIDが発行条件ファイルに記録されている場合には、そのポリシーIDに関連する発行条件を読み取り、その内容を記憶装置１２に記憶する。一方、受信したポリシーIDが、発行条件ファイルに登録されていない場合は、エラーコメントを送信部１０１に送る。
【００２９】
TA要求部１１２は、発行条件選択部１１１で読み取った発行条件ファイルの内容からタイムスタンプに関する証明書の要否を確認し、証明書が必要な場合は、TAから時刻、および証明書を取得する。そして、その時刻、および証明書を記憶装置１２に記憶する。
【００３０】
TST生成部１１３は、TA要求部１１２で記憶されたTAの時刻と、発行条件選択部１１１で記憶された対象文書とから、公知の方法によってTSTを生成し、TSA証明書を作成する。そして、発行条件ファイルの中から、発行条件選択部１１１で記憶したポリシーIDと同じポリシーIDのレコードから、対応する秘密鍵を参照して、その秘密鍵を用いてTSTと、TA要求部１１２で記憶されたCA証明書と、TSA証明書とを、公知の方法により暗号化する。そして、暗号化したTSTと証明書を送信部１０１に送る。
【００３１】
次に、本実施形態のタイムスタンプサーバ装置１を利用するための処理の動作について、図５〜図８を参照して説明する。タイムスタンプサーバ装置１の処理は、図５に示すように、発行条件選択処理（ステップS１）と、タイムスタンプ生成処理（ステップS２）と、タイムスタンプ発行処理（ステップS３）と、から構成される。以下、各処理について詳細に説明する。
【００３２】
まず、前提として事業者は図４に示す内容を、タイムスタンプサーバ装置１の発行条件ファイルに記録し、また、時刻を取得するTAの時刻監査サーバ装置３のアドレス情報を、記憶装置１２に記録しているとする。対象文書としては、電子文書「x」のメッセージダイジェスト（以下、MDとする）「X」を用いる。そして、クライアント装置２から、MD「X」について、ポリシーIDを「００２」とするタイムスタンプ要求があったとする。また、タイムスタンプサーバ装置１の制御装置１１に常駐するプログラムが、タイムスタンプ要求の有無を監視しているとする。
【００３３】
タイムスタンプサーバ装置１の制御装置１１は、発行条件選択部１１１で、発行条件選択処理（ステップS１）を行う。
【００３４】
この発行条件選択処理（ステップS１）では、まず受信部１００に時刻認証対象となる電子文書「x」のMD「X」、ポリシーID「００２」の要求があるか、また同じポリシーID「００２」のリクエストが既に３２個以上ないかを判断する（図６；ステップS１００）。具体的には、タイムスタンプサーバ装置１の起動時に常駐されるアプリケーション（例えば、Tomcatなど）のサーブレット機能を用いて、このタイムスタンプ要求を監視することにより判断する。
【００３５】
そして、受信部１００にMD「X」と、ポリシーID「００２」要求があり、ポリシーID「００２」のリクエストが所定数、例えば、３２個以上ないことが確認できた場合（ステップS100；yes）、制御装置１１は、発行条件選択部１１１で、対象文書としてのMD「X」、ポリシーID「００２」を記憶装置１２に記憶する（ステップS１０１）。一方、MD「X」、およびポリシーID「００２」が確認できない場合（ステップS101；no）、または既にポリシーID「００２」のリクエストが３２個以上ある場合は、エラーメッセージを送信部１０１に返す（ステップS１０２）。例えば、電子文書のMDがない場合などに、このステップS１０２で「その電子文書のMDがありません」とするエラーメッセージを返す。
【００３６】
次に制御装置１１は、発行条件選択部１１１で、記憶装置１２に記憶したポリシーID「００２」と同じポリシーIDを含むレコードが、発行条件ファイルにあるか否かを判断する（ステップS１０３）。そして、同じポリシーID「００２」を含むレコードがあると判断した場合は（ステップS103；yes）、そのレコードを抽出して記憶装置１２に記憶する（ステップS１０４）。一方、同じポリシーIDがない場合は（ステップS103；no）、エラーメッセージを送信部１０１に返す（ステップS１０５）。例えば、ポリシーID「００３」の場合には、「タイムスタンプ発行対象外のMDです」とするエラーメッセージを、送信部１０１に返す。
【００３７】
さらに、制御装置１１は、発行条件選択部１１１で、ステップS１０４で抽出し、ポリシーID「００２」を含む発行条件ファイルのレコードに記されたハッシュアルゴリズムを読み取り、MDがそのハッシュアルゴリズムで作成されているか否かを判断する（ステップS１０６）。具体的には、MDが、発行条件ファイルに記されたハッシュアルゴリズム「SHA２５６」で作成されたMDであるかを判断する。そして、MDが発行条件ファイルのレコードに記されたハッシュアルゴリズムと同じアルゴリズムで作成されている場合は（ステップS106；yes）、続いて証明書フラグを参照して証明書の要否を判断する（ステップS１０７）。一方、MDが、発行条件ファイルのレコードに記されたハッシュアルゴリズムと同じアルゴリズムで作成されてない場合は（ステップS106；no）、ステップS１０５と同じエラーメッセージを、送信部１０１に返す（ステップS１０８）。
【００３８】
そして、ステップS１０７で、証明書が必要と判断した場合は（ステップS107；yes）、制御装置１１のTA要求部１１２は、発行条件ファイルから必要な証明書の種類を読み取り、あらかじめ記録されたアドレス情報をもつTAにより監査された時刻と、証明書取得する（ステップS１０９）。具体的には、制御装置１１のTA要求部１１２は、図４の発行条件ファイルのポリシーID「００２」のレコードの証明書フラグを参照する。そして、そのフラグが「要」となっているので、次に証明書種類を参照して「TSA、CA」が必要であることを確認する。そして、事前にTAから取得した時刻監査証の有効性を確認し、時刻監査証が有効であれば、これからCA証明書を取り出し、時刻監査サーバ装置３と自己の内部時計の時刻とが同期しているとして内部時計から時刻を取得する。時刻監査証が有効でなければ、TAに対してリクエストを出すことにより、時刻と、CA証明書とを取得する。一方、ステップS１０７で証明書が不要と判断した場合は（ステップS107；no）、時刻のみを取得する（ステップS１１０）。そして、ステップS１０９、またはステップS１１０が終了すると、発行条件選択処理（ステップS１）が終了し、次のタイムスタンプ生成処理（ステップS２）に進む。
【００３９】
タイムスタンプ生成処理（ステップS２）では、制御装置１１は、TST生成部１１３で、MDと、ステップS１０９またはステップS１１０で取得した時刻とから、公知の方法によりTSTを生成し、TSA証明書を作成する（ステップS２００）。具体的には、MD「X」と、TAから取得した時刻とから生成したTST「X'」と、TST「X'」に対するTSA証明書、例えば、「TST『X'』は２００５年１２月１０日に作成されたことを証明する」とした内容のTSA証明書を作成する。
【００４０】
次に、制御装置１１は、TST生成部１１３で、ステップS１０４で記憶したポリシーIDと同じポリシーIDを含むレコードに記された秘密鍵を読み取り、ステップS２００で生成したTST、およびTSA証明書と、ステップS１０９で取得した証明書とを、その秘密鍵を用いて、例えばIDEA（International Data Encryption Algorithm）などの公知の方法により暗号化して、記憶装置１２に記憶する（ステップS２０１）。具体的には、図４に示すように、発行条件ファイルの中から、ポリシーID「００２」に対応する秘密鍵「B」を読み取り、TST「X'」と、TSA証明書と、CA証明書をその秘密鍵「B」で暗号化したデータ「X'’」を作成する。このステップS２０１が終了すると、タイムスタンプ生成処理（ステップS２）が終了し、次のタイムスタンプ発行処理（ステップS３）にすすむ。
【００４１】
タイムスタンプ発行処理（ステップS３）では、制御装置１１は、TST生成部１１３で、ステップS２０１で暗号化して記憶したTSTと証明書からなるデータを、クライアント装置２に送信するよう送信部１０１に指示し、送信部１０１はそのデータを、証明書をクライアント装置２に送信する（ステップS３００）。具体的には、対象文書「X」と、TST「X'」と、TSA証明書と、CA証明書とを秘密鍵「B」で暗号化したデータ「X'’」を、クライアント装置２に送信する。以上で、タイムスタンプ発行処理（ステップS３）が終了し、タイムスタンプを発行するための全ての処理が終了する。
【００４２】
このようなタイムスタンプ発行処理が行われることで、クライアント装置２からのタイムスタンプ要求内容に応じたタイムスタンプが発行される。具体的には、クライアント装置２に、TST「X'」と、TSA証明書と、CA証明書とを秘密鍵「B」で暗号化したデータ「X''」が送信されると、クライアント装置２の利用者は、秘密鍵「B」に対応する公開鍵「B'」を取得して復号することにより、TST「X'」と、TSA証明書、CA証明書を取得できる。そして、利用者は、このTST「X'」のMDと、タイムスタンプ取得前のMDを比べて、その値に変更がないこと、およびTSA証明書の時刻を確認することにより、その電子文書作成後、TSA証明書発行迄の間に、電子文書自体が改ざん等されていないことが確認できる。
【００４３】
上記実施の形態は一例であり、本発明はこれに限られない。すなわち、種々の応用が可能であり、あらゆる実施の形態が本発明の範囲に含まれる。
【００４４】
例えば、上記実施例では、TAから信頼ある時刻を取得することとしているが、TAがタイムスタンプサーバ装置１の時刻を監査し、TAの時刻と、タイムスタンプサーバ装置１の時刻のずれ（差分）を求めて時刻監査証を生成している場合等は、その差分の時間をTAから取得してタイムスタンプサーバ装置１が時刻を求めてもよい。
【００４５】
また、上記実施例では、クライアント装置２から対象文書としてのMDと、ポリシーIDとを受信して、タイムスタンプを発行しているが、これらと同じ内容が得られるのであれば、例えば、これらの内容をまとめた１つのファイルを受信し、タイムスタンプを発行する等の処理形態でも構わない。また、タイムスタンプサーバ装置１は、対象文書として電子文書を受信し、この電子文書からMDを生成して上記の処理を行い、受信した電子文書をMDとともに記憶装置１２に記憶するようにしてもよい。
【００４６】
また、上記実施例では記載していないが、事業者がタイムスタンプ発行条件を登録したときに、既に同一のポリシーIDが発行条件ファイルにある場合には、ディスプレイ等の表示装置１４にエラーコメントを表示させる処理を行って、発行条件の入力精度を高める等のチェック機能を持たせる登録処理チェック処理等を含めてもよい。
【００４７】
尚、システム構成や動作等については、同様の機能構成が得られるならば、任意に変更可能である。例えば、上記実施形態では、TAとTSAは物理的に離れた場合を想定しているが、TSAがTAと同じ事業者である場合等は、論理的にTSAの機能とTAの機能とを分割し、タイムスタンプサーバ装置１が、TAが行う時刻配信と、TSAが行うタイムスタンプ発行の両方のサービスを提供してもよい。
【００４８】
さらに、上記実施形態では、クライアント装置２から、同時に最大３２個の同じポリシーIDのタイムスタンプ要求を受け付けることとしているが、例えば、タイムスタンプサーバ装置１に対するクライアント装置２からのアクセス頻度を監視し、その頻度に応じて同時に受け付けるタイムスタンプ要求を変更する処理を行うようにしてもよい。
【００４９】
上記実施の形態にかかるタイムスタンプサーバ装置１は、専用装置によって実現可能なことはもとより、汎用のコンピュータシステムによって構成することもできる。この場合、上記各処理を実現するためのプログラムを汎用コンピュータシステムにインストールしてOSとの協働により実行することで、汎用コンピュータ装置を、上記タイムスタンプサーバ装置１として機能させることができる。
【００５０】
また、上述の機能を実現するプログラムの提供方法は任意であり、CD−ROMなどの記録媒体に格納して提供可能なことはもとより、例えば、インターネットなどの通信媒体を介して提供してもよい。
【図面の簡単な説明】
【００５１】
【図１】本発明の実施の形態に係るタイムスタンプサーバ装置、クライアント装置、時刻監査サーバ装置を模式的に示す図である。
【図２】図１に示すタイムスタンプサーバ装置の構成を示すブロック図である。
【図３】図２のタイムスタンプサーバ装置の機能的構成を示す図である。
【図４】本発明の実施の形態に係る発行条件ファイルの内容の具体例を示すイメージ図である。
【図５】本発明の実施の形態に係るタイムスタンプ発行処理の処理動作を説明するためのフローチャートである。
【図６】図５に示す発行条件選択処理の処理動作を説明するためのフローチャートである。
【図７】図５に示すタイムスタンプ生成処理の処理動作を説明するためのフローチャートである。
【図８】図５に示すタイムスタンプ発行処理の処理動作を説明するためのフローチャートである。
【符号の説明】
【００５２】
１   タイムスタンプサーバ装置
２   クライアント装置
３   時刻監査サーバ装置
N   通信ネットワーク
１０  通信装置
１１  制御装置
１２  記憶装置
１３  入力装置
１４  表示装置
１００ 受信部
１０１ 送信部
１１１ 発行条件選択部
１１２ TA要求部
１１３ TST生成部
【図１】
2007181093.tif 000003
【図２】
2007181093.tif 000004
【図３】
2007181093.tif 000005
【図４】
2007181093.tif 000006
【図５】
2007181093.tif 000007
【図６】
2007181093.tif 000008
【図７】
2007181093.tif 000009
【図８】
2007181093.tif 000010